(57)【要約】【課題】  液晶表示パネルとフレームと両面固定テープで構成された液晶表示装置においては、振動やねじれなどの外部ストレスを受けた際に、液晶表示パネルとモールドフレームとが剥離しやすい易いという課題がある。【解決手段】  フレームとＬＣＤにまたがるように熱収縮性を有する固定部材を配置し、加熱により接着固定することとした。このような構成により、表示装置に外部ストレスが加わっても、表示パネルの上方への剥離を防止できる。【選択図】  図１
2007219428.tif 000002
【特許請求の範囲】
【請求項１】
非自発光型の表示素子と、光源と、前記光源からの光を前記表示素子に導く導光体と、前記導光体を保持するフレームと、前記表示素子と前記フレームを固定する熱収縮性を有する固定部材と、を備えることを特徴とする表示装置。
【請求項２】
前記フレームには前記固定部材を設ける部位に凹部が形成されたことを特徴とする請求項１に記載の表示装置。
【請求項３】
前記固定部材が、ポリオレフィンとフッ素樹脂の少なくとも一方を含むシート材であることを特徴とする請求項１または２に記載の表示装置。
【請求項４】
導光体をフレームに格納する工程と、
前記導光体の上方に表示素子を配置する工程と、
熱収縮性を持つ固定部材を前記フレームと前記表示素子に跨ぐように配置する工程と、
前記固定部材のみを加熱する工程と、を備えることを特徴とする表示装置の製造方法。
【発明の詳細な説明】
【技術分野】
【０００１】
本発明は、携帯電話等の電子機器に使用される液晶表示装置等の非自発光型の表示装置に関するものである。詳しくは、表示パネルを含む各種構成部材を相互に固定させる表示装置の構造に関する。
【背景技術】
【０００２】
近年、表示装置として例えば液晶表示装置では、液晶表示パネル、光学シートおよび導光体が格納されたモールドフレームを組み立てることにより構成されている。このような液晶表示装置では、輸送中の振動や携帯電話等の筐体に設置されたときのねじれ、落下等の外部ストレスによって生じる液晶表示パネルの上方への浮き上がりを防止するために、さまざまな固定方法が提案されている。例えば液晶表示パネルが液晶表示パネルの下面の周縁部に配置された両面固定テープを介してプラスチックからなるモールドフレームと保持固定された構造が多く用いられている。この液晶表示パネルは遮光のためにその周縁部に両面固定テープが配置されている。両面固定テープは、遮光性を有しており、光学フィルムと同時にモールドフレームと固定されている。また、モールドフレームの一部の形状をフック状の形状とし、液晶表示パネルの上面の数点を保持する構造も提案されている。
【０００３】
また、別の方法として、さらに金属フレームに保持固定させて構成された構造も提案されている。金属フレームに液晶表示パネルを保持させる際には、液晶表示パネルの下面の周縁部に両面固定テープを配置し、モールドフレームと保持固定すると同時にこの液晶表示パネルの上方からその周縁部に金属フレームを被せることにより、保持固定させている（例えば、特許文献１参照）。
【特許文献１】特開平１１−３０５２０５号公報
【発明の開示】
【発明が解決しようとする課題】
【０００４】
このような液晶表示パネルとモールドフレームと両面固定テープで構成された液晶表示装置においては、液晶表示パネルとモールドフレームとが剥離しやすい易いという課題がある。すなわち、このような液晶表示装置の構成では、液晶表示パネルとモールドフレームとは液晶表示パネルの下面の周縁部のみで固定保持されているため、振動やねじれなどの外部ストレスを受けた際に、上方への剥離に対する規制力が働かない。そのために、剥離し易い。さらに、近年の液晶表示装置に要求される狭額縁化に伴って、両面固定テープと液晶表示パネルとの接着面積が少なくなるため接着力が減少し、さらに剥離しやすくなってしまうという課題も有していた。また、モールドフレームの一部をフック形状とした構造では、上方への液晶表示パネルの浮き上がりは抑制できるものの、フック形状のモールドフレームと液晶表示パネルとが局所的に接触するので、落下時に応力が集中しやすくなり、ガラスでできた液晶表示パネルが割れやすくなるという課題を有していた。さらには、特許文献１のような構造で構成された液晶表示装置では、金属フレームを液晶表示パネルの上方からかぶせているため、上方への剥離は防止出来るものの、金属フレームの厚みだけ液晶表示装置が厚くなるという課題を有していた。また、部材の追加となるため、コストが上昇するという課題も有していた。そこで、本発明の目的は、コストの上昇を抑えつつ、コンパクトで堅牢な構造を特徴とした液晶表示装置を実現することにある。
【課題を解決するための手段】
【０００５】
本発明は、モールドフレームと液晶表示パネルとを熱収縮性を有する固定部材でまたがるように配置し、加熱により接着固定することとした。このように熱収縮性を有する固定部材で固定保持することにより、振動やねじれなどの外部ストレスをうけても、固定用部材により液晶表示パネルの上方への移動が規制されるため、液晶表示パネルの上方への浮き上がりがなくなる。
【発明の効果】
【０００６】
本発明の表示装置は、モールドフレームと表示パネルとを熱収縮性を有する固定部材でまたがるように配置し、加熱により接着固定したことにより、表示パネルの上方への剥離を防止する効果を有している。また、金属フレームを上方からかぶせる必要が無くなるため、表示装置の薄型化を図ることが出来る。また、極めて簡単な構成の固定手段を用いている為、コストの上昇も抑制することが出来る。
【発明を実施するための最良の形態】
【０００７】
本発明の表示装置は、非自発光型の表示素子と、光源と、光源からの光を表示素子に導く導光体と、導光体を保持するフレームをそなえ、表示素子とフレームが熱収縮性を有した固定部材で固定された構成となっている。このような構成によれば、フレームと表示素子とが同時に固定部材で固定されているため、効果的に表示素子の剥離を防止できる。
さらに、フレームには固定部材を設ける部位に凹部が形成されている。固定部材には、ポリオレフィンとフッ素樹脂の少なくとも一方を含むシート材を用いることができる。
【０００８】
さらに、本発明の表示装置の製造方法は、導光体をフレームに格納する工程と、導光体の上方に表示素子を配置する工程と、熱収縮性を有する固定部材をフレームと表示素子に跨いで配置する工程と、固定部材のみを加熱する工程とを備えることとした。このような方法によれば、固定部材を硬化収縮させるために加えた熱が液晶表示パネルに影響を与えることがないので、高い表示品質を保つことが可能になる。
【実施例１】
【０００９】
本実施例の液晶表示装置の構成を図１に模式的に示す。図示するように、この液晶表示装置は、液晶セルの上面と下面に偏光板等のフィルムが配置された液晶表示パネル１と、バックライト装置を備えている。バックライト装置は、ＬＥＤからの光を液晶表示素子に照射するための導光体４を備えており、導光体４の上面には光学フィルム類３が、下面には反射シート７が配置されていて、フレーム２内に格納されている。ここで、フレーム２は、フィラーを添加したポリカーボネート等の白色樹脂を射出成型することで作製され、導光板等を保持できるように段差形状等を施した構造になっている。導光板４は、アクリルやポリカーボネート等の透明樹脂を射出成型して作製され、その表面には微細な凹凸が形成されている。導光体４の上にはＬＣＤの正面輝度を上昇させる目的で拡散シートやプリズムシート等の光学フィルム類３が配置され、導光体４の下には、導光体内に効率よく光を伝播する目的で、銀等の反射率の高い材料が表面にコーティングされた反射板７が配置されている。フレーム２と液晶表示パネル１の下面周縁部とはロの字形状をした両面固定テープ５で接着固定されている。同時に、この両面固定テープ５は導光体４と光学フィルム類３とを固定し、さらに、フレーム２と導光体４も固定している。液晶表示パネル１とフレーム２とは熱収縮性を有する固定部材６で双方にまたがるように固定されている。固定部材６は例えば、ポリオレフィンやフッ素樹脂等からなる加熱により硬化収縮する特性を有した樹脂をシート状に加工した部材である。
【００１０】
ここで、本実施例の液晶表示装置の組立方法について説明する。まず、モールドフレーム２に反射フィルム７、導光体４、光学フィルム類３が順次落とし込むように配置し、両面固定テープ５を上方より貼りつけることで固定する。次に、液晶表示パネル１を落とし込み、下面周縁部を両面固定テープ５に接着固定する。次に、熱収縮性を有する固定部材６をモールドフレーム２と液晶表示パネル１にまたがるように設置し、固定部材のみを加熱し収縮硬化することで接着固定する。このように固定部材のみ加熱することによって、加熱による液晶表示パネルへの熱影響を防止することができる。
【００１１】
このように、本実施例の構成によれば、液晶表示装置に外力が加わって、液晶表示パネル１が上方に剥離し移動させようとする応力が働いても、モールドフレーム２と液晶標示パネル１とが同時に固定部材６で固定されているため、浮き上がりを抑えられることとなる。すなわち、液晶表示装置に外部ストレスが加わっても、固定部材により効果的に剥離を防止できる。また、本実施例の構成によれば金属フレームを上方よりかぶせる必要が無くなるため、液晶表示装置の薄型化が可能となると同時にコストを低減することが可能となる。
【００１２】
上述した実施例においては、固定部材については樹脂部材を用いたが、材料に関しては樹脂に限らず加熱硬化収縮特性を有した材料でも同様の効果が得られる。
【産業上の利用可能性】
【００１３】
薄型で堅牢な構造の液晶表示装置を提供することができるので、携帯電話等の薄型化に貢献することが出来る。
【図面の簡単な説明】
【００１４】
【図１】本発明に係る液晶表示装置の構成を模式的に示す断面図である。
【符号の説明】
【００１５】
１  液晶表示パネル
２  フレーム
３  光学フィルム類
４  導光体
５  両面固定テープ
６  固定部材
７  反射フィルム
【図１】
2007219428.tif 000003